(57)【要約】【課題】回路基板固定機能と共にバーケースとベースケースの脱落防止を適切に実現する。【解決手段】底面部及びこの底面部の両側から上方に連続する一対の側壁部に通孔部１０がそれぞれ設けられたベースケース２と；天板部及びこの天板部の両側から連続してベースケース２の一対の側壁部に重なるように形成された一対の側板部を有し、ベースケース２における一対の側壁部に形成された前記通孔部１０を介してベースケース２の内部へ折り込まれることで回路基板を保持する爪部が形成された爪孔部を備えたカバーケース５と；ベースケース２とカバーケース５の内側面に沿って配置され、端部が重ねられた絶縁シート３と；電気部品を実装した回路基板６により構成され、回路基板６が絶縁シート３を介してベースケース２の底面部側に配置された電気回路とを具備する。【選択図】図１
2010080433.tif 000002
【特許請求の範囲】
【請求項１】
底面部及びこの底面部の両側から上方に連続する一対の側壁部により樋形状に構成され、前記一対の側壁部に通孔部がそれぞれ設けられたベースケースと；
天板部及びこの天板部の両側から連続してベースケースの一対の側壁部に重なるように形成された一対の側板部を有し、ベースケースにおける一対の側壁部に形成された前記通孔部を介してベースケースの内部へ折り込まれることで回路基板を保持する爪部が形成された爪孔部を備えたカバーケースと；
ベースケースとカバーケースの内側面に沿って配置され、端部が重ねられた絶縁シートと；
電気部品を実装した回路基板により構成され、回路基板が絶縁シートを介してベースケースの底面部側に配置された電気回路と；
を具備することを特徴とする電気機器。
【請求項２】
底面部及びこの底面部の両側から上方に連続する一対の側壁部により樋形状に構成され、前記一対の側壁部に通孔部がそれぞれ設けられたベースケースと；
天板部及びこの天板部の両側から連続してベースケースの一対の側壁部に重なるように形成された一対の側板部を有し、ベースケースにおける一対の側壁部に形成された前記通孔部の底面部側及び底部側以外の方向にそれぞれに通孔部を介してベースケースの内側に折り込まれる第１及び第２の爪孔部を備えたカバーケースと；
ベースケースとカバーケースの内側面に沿って配置され、端部が重ねられた絶縁シートと；
電気部品を実装した回路基板により構成され、回路基板が絶縁シートを介してベースケースの底面部側に配置された電気回路と；
を具備することを特徴とする電気機器。
【請求項３】
前記爪孔部の第１の爪部は下方から上方へ、第２の爪部は上方から下方または左右方向へそれぞれの先端が延在すると共に、互いに隣接するように前記爪孔部内に設けられていることを特徴とする請求項２に記載の電気機器。
【請求項４】
ベースケースの一対の側壁部に形成され、絶縁シートを介して回路基板をベースケースの底面部側へ押えて固定する回路基板固定部を具備することを特徴とする請求項１乃至３のいずれか１項に記載の電気機器。
【請求項５】
ベースケースの両側面と底面、カバーケースの両側面には、ベースケースとカバーケースの中心を軸として１８０度の平面回転対称となる位置に各部材が形成されていることを特徴とする請求項１乃至４のいずれか１項に記載の電気機器。
【請求項６】
天板部における長手方向の両端には、天板部に対しほぼ直交し、カバーケースの側板部との間隔が下方から天板部へ向かって狭くなるテ―パ部を有する端板部が形成されていることを特徴とする請求項１乃至７のいずれか１項に記載の電気機器。
【請求項７】
放電ランプ用点灯回路を有する電気回路が備えられた請求項１乃至６のいずれか１項に記載の電気機器により構成されることを特徴とする放電ランプ点灯装置。
【請求項８】
請求項７に記載の放電ランプ点灯装置と；
この放電ランプ点灯装置により点灯される放電ランプと；
放電ランプ点灯装置及び放電ランプを配置している器具本体と；
を具備していることを特徴とする照明器具。
【発明の詳細な説明】
【技術分野】
【０００１】
この発明は、箱型の一方のケース内部に電気機器を実装した回路基板を保持させ、箱型の他方のケースを向かい合わせて結合した構成の電気機器、このような構成を採用して放電ランプを点灯させるようにした放電ランプ点灯装置、更には、この放電ランプ点灯装置を用いて構成した照明器具に関するものである。
【背景技術】
【０００２】
蛍光灯ランプなどの放電ランプを点灯させる電気機器である放電ランプ点灯装置にあっては、電子安定器と称する機器が用いられている。この安定器は、電気部品が実装された回路基板を金属製のベースケースとカバーケースとの間に配置し、これらのケースを向かい合わせて結合した構成を有している。
【０００３】
従来の放電ランプ点灯装置においては、ベースケースにストッパ溝および連結用通孔が形成され、カバーケースにストッパ凸部及び連結凸部を形成し、これらの構成により、ベースケースに対するカバーケースの嵌合深さや位置決めが行われている（特許文献１参照）。
【０００４】
具体的には、ストッパ凸部の下端面がストッパ溝部の底面に当接して、ベースケースに対するカバーケースの深さが決められ、ストッパ凸部の少なくとも一方の根元がストッパ溝部の一側面に接触することにより、ベースケースに対するカバーケースの長手方向位置が決定されている。また、連結凸部は、カバーケースの内側に折り曲げられ連結用通孔に侵入し、連結凸部の根元部側部分がプリント配線基板の上側の板面を抑えて、プリント配線基板を固定している。
【０００５】
上記の放電ランプ点灯装置にあっては、ストッパ凸部がストッパ溝において固定されておらず、連結凸部が連結用通孔において固定されないので、カバーケースがベースケースに対して上下方向及び長手方向にがたつくものである。
【先行技術文献】
【特許文献】
【０００６】
【特許文献１】特開２００３−１９７０２７号公報（特に、図２及びその説明）
【０００７】
これに対し図２３に示すように、ベースケース９０の両側壁部９０ｓに、四角形の連通孔９１と円形の受孔９２とを比較的近い位置に形成し、カバーケース９５の両側板部９５ｓに、爪片９６ａを有する爪孔９６と、受孔９２側に向かって突出する凸形状を有する係合凸部９７を形成し、この係合凸部９７を受孔９２に嵌合させて、両側板部９５ｓが内側に復元する弾性力によりベースケース９０をカバーケース９５で挟持する構成の電気機器が案出されている。
【０００８】
上記の電気機器では、爪片９６ａをベースケース９０の連通孔９１における内側に向けて折り込んで回路基板９８を保持すると共に、床面側に位置するカバーケース９５がベースケース９２から抜け落ちる危険性を回避している。
【０００９】
しかしながら、上記の構成に係る電気機器においては、爪片９６ａを内側に折り込んだときに、爪片９６ａの基部９６ｂ及びこの近傍が押圧方向と逆の外側へ向かって反り返り、係合凸部９７と受孔９２の嵌合状態が解除されることがある。また、爪片９６ａにより回路基板９８を固定する構成を採用している場合には、爪片９６ａによって、カバーケース９５がベースケース９２から抜け落ちる危険性を回避できるが、回路基板９８の固定に支障が生じることになる。
【発明の概要】
【発明が解決しようとする課題】
【００１０】
本発明は、上記のような電気機器の問題点に鑑みてなされたもので、回路基板固定機能と共にカバーケースとベースケースの脱落防止を適切に実現することのできる電気機器等を提供する。
【課題を解決するための手段】
【００１１】
請求項１の本発明に係る電気機器は、底面部及びこの底面部の両側から上方に連続する一対の側壁部により樋形状に構成され、前記一対の側壁部に通孔部がそれぞれ設けられたベースケースと；天板部及びこの天板部の両側から連続してベースケースの一対の側壁部に重なるように形成された一対の側板部を有し、ベースケースにおける一対の側壁部に形成された前記通孔部を介してベースケースの内部へ折り込まれることで回路基板を保持する爪部が形成された爪孔部を備えたカバーケースと；ベースケースとカバーケースの内側面に沿って配置され、端部が重ねられた絶縁シートと；電気部品を実装した回路基板により構成され、回路基板が絶縁シートを介してベースケースの底面部側に配置された電気回路とを具備することを特徴とする。
【００１２】
請求項１の本発明によれば、爪部によって回路基板を固定すると共にカバーケースの脱落を防止できる。
【００１３】
請求項２の本発明に係る電気機器は、底面部及びこの底面部の両側から上方に連続する一対の側壁部により樋形状に構成され、前記一対の側壁部に通孔部がそれぞれ設けられたベースケースと；天板部及びこの天板部の両側から連続してベースケースの一対の側壁部に重なるように形成された一対の側板部を有し、ベースケースにおける一対の側壁部に形成された前記通孔部の底面部側及び底部側以外の方向にそれぞれに通孔部を介してベースケースの内側に折り込まれる第１及び第２の爪孔部を備えたカバーケースと；ベースケースとカバーケースの内側面に沿って配置され、端部が重ねられた絶縁シートと；電気部品を実装した回路基板により構成され、回路基板が絶縁シートを介してベースケースの底面部側に配置された電気回路と；を具備することを特徴とする。
【００１４】
上記請求項２の本発明において、第１の爪部は回路基板を固定し、第２の爪部はベースケースからの脱落防止機能を果たす。これは、カバーケースがベースケースから抜け落ちる危険性を回避する全ての構成を指す。孔部、爪孔部や爪部の数、爪部の基部から先端へ向かう方向等は適宜選択される。
【００１５】
請求項３の本発明に係る電気機器では、前記爪孔部の第１の爪部は下方から上方へ、第２の爪部は上方から下方または左右方向へそれぞれの先端が延在すると共に、互いに隣接するように前記爪孔部内に設けられていることを特徴とする。
【００１６】
請求項４の本発明に係る電気機器では、ベースケースの一対の側壁部に形成され、絶縁シートを介して回路基板をベースケースの底面部側へ押えて固定する回路基板固定部を具備することを特徴とする。
【００１７】
請求項５の本発明に係る電気機器では、ベースケースの両側面と底面、カバーケースの両側面には、ベースケースとカバーケースの中心を軸として１８０度の平面回転対称となる位置に各部材が形成されていることを特徴とする。
【００１８】
上記請求項５の本発明において、部材とは、爪部、通孔部、爪孔部、回路基板固定部などのすべての形成された部材を指す。
【００１９】
請求項６の本発明に係る電気機器では、天板部における長手方向の両端には、天板部に対しほぼ直交し、カバーケースの側板部との間隔が下方から天板部へ向かって狭くなるテ―パ部を有する端板部が形成されていることを特徴とする。
【００２０】
請求項７の本発明に係る放電ランプ点灯装置は、放電ランプ用点灯回路を有する電気回路が備えられた請求項１乃至６のいずれか１項に記載の電気機器により構成されることを特徴とする。
【００２１】
請求項８の本発明に係る照明器具は、請求項７に記載の放電ランプ点灯装置と；この放電ランプ点灯装置により点灯される放電ランプと；放電ランプ点灯装置及び放電ランプを配置している器具本体と；を具備していることを特徴とする。
【発明の効果】
【００２２】
請求項１の本発明に係る電気機器によれば、ベースケースの孔部に設けられた爪部が、回路基板を固定すると共にベースケースからの脱落防止機能を実現するので、爪部を折込むように加工することによってカバーケースがベースケースから抜け落ちる危険性を回避できると共に回路基板の固定が適切になされる効果を有する。
【００２３】
請求項２の本発明に係る電気機器によれば、爪孔部に回路基板固定機能の第１の爪部が備えられ、爪孔部にはベースケースからの脱落防止機能を有する第２の爪部が備えられているので、カバーケースとベースケースを重ねたときの同一位置において第１及び第２の爪部を一度に折り曲げることができ、これにより回路基板の固定と、カバーケースのベースケースからの抜け落ちの防止を実現できる。
【００２４】
請求項３の本発明に係る電気機器によれば、前記爪孔部の第１の爪部は下方から上方へ、第２の爪部は上方から下方または左右方向へそれぞれの先端が延在すると共に、互いに隣接するように前記爪孔部内に設けられているので、爪孔部において第１及び第２の爪部の長さを大きく形成でき、小さな力でこれらの爪部を一度に折り曲げることができる。
【００２５】
請求項４の本発明に係る電気機器によれば、絶縁シートを介して回路基板をベースケースの底面部側へ押えて固定する回路基板固定部がベースケースの一対の側壁部に形成されているので、絶縁シートなどにより適切な位置へ収まっていない回路基板を確実に固定することができる。
【００２６】
請求項５の本発明に係る電気機器によれば、ベースケースの両側面と底面、カバーケースの両側面には、ベースケースとカバーケースの中心を軸として１８０度の平面回転対称となる位置に各部材が形成されているので、ベースケースとカバーケースとは、方向の調整を行うことなく組み立て作業などを行うことができ、効率よく作業を行うことができる。
【００２７】
請求項６の本発明に係る電気機器によれば、天板部における長手方向の両端には、天板部に対しほぼ直交し、カバーケースの側板部との間隔が下方から天板部へ向かって狭くなるテ―パ部を有する端板部が形成されているので、絶縁シートの端部がこのテ―パ部に沿って収納されるように機能し、端板部によって絶縁シートが回路基板側に折り曲げられて挟み込まれる不具合を防止することが可能である。
【００２８】
請求項７の本発明によれば、請求項１乃至６のいずれか１項に記載の電気機器を備えた放電ランプ点灯装置を提供することができる。
【００２９】
本請求項８の本発明によれば、請求項７に記載の放電ランプ点灯装置を備えた照明器具を提供することができる。
【図面の簡単な説明】
【００３０】
【図１】本発明の放電ランプ点灯装置に係る第１の実施形態の構成を示す一部省略斜視図。
【図２】本発明の放電ランプ点灯装置に係る第１の実施形態のベースケース側の構成を示す一部省略斜視図。
【図３】本発明の放電ランプ点灯装置に係る第１の実施形態のカバーケース側の構成を示す一部省略斜視図。
【図４】本発明の放電ランプ点灯装置に係る第１の実施形態の構成を示す要部断面図。
【図５】本発明の放電ランプ点灯装置に係る第１の実施形態の構成を示す要部断面図。
【図６】本発明の放電ランプ点灯装置に係る第２の実施形態の構成を示す側面図であり、（ａ）は全体図、（ｂ）は要部拡大図。
【図７】本発明の放電ランプ点灯装置に係る第２の実施形態の構成を示す要部断面図。
【図８】本発明の放電ランプ点灯装置に係る第３の実施形態の構成を示す要部側面図。
【図９】本発明の放電ランプ点灯装置に係る実施形態の構成を示す要部側面図であり、（ａ）は第４の実施形態を示す図、（ｂ）は第５の実施形態を示す図。
【図１０】本発明の放電ランプ点灯装置に係る第４の実施形態の構成を示す要部断面図。
【図１１】本発明の放電ランプ点灯装置に係る第６の実施形態の構成を示す組み立て斜視図。
【図１２】本発明の放電ランプ点灯装置に係る第６の実施形態の要部を示す側面図。
【図１３】本発明の放電ランプ点灯装置に係る第６の実施形態のベースケースの底面を示す平面図。
【図１４】本発明の放電ランプ点灯装置に係る第６の実施形態の絶縁シートを示す一部省略斜視図。
【図１５】本発明の放電ランプ点灯装置に係る第６の実施形態の構成を示す要部組み立て斜視図。
【図１６】本発明の放電ランプ点灯装置に係る第６の実施形態の構成を説明するための断面図。
【図１７】本発明の放電ランプ点灯装置に係る第６の実施形態の組み立て過程を示す側面図。
【図１８】本発明の放電ランプ点灯装置に係る第１乃至５の実施形態の構成を用いた場合の不具合を説明するための断面図。
【図１９】本発明の放電ランプ点灯装置に係る第６の実施形態の組み立て過程を示す断面図。
【図２０】本発明の放電ランプ点灯装置に係る第６の実施形態の完成後におけるレーザマーキングを説明するための平面図。
【図２１】本発明の放電ランプ点灯装置に係る第６の実施形態の構成を示す組み立て斜視図。
【図２２】本発明の放電ランプ点灯装置に係る実施形態を用いて構成した照明器具の構成を示す斜視図。
【図２３】既存の放電ランプ点灯装置の構成を示す組み立て斜視図。
【発明を実施するための形態】
【００３１】
以下、添付図面を参照して本発明の実施例を説明する。各図において同一の構成要素には同一の符号を付して重複する説明を省略する。第１の実施形態に係る電気機器は放電ランプ点灯装置を示すものであり、図１に要部斜視図を示し、図２にカバーケースを取り外した状態の要部斜視図を示し、図３にカバーケースの要部斜視図を示す。
【００３２】
上記各図に示されている放電ランプ点灯装置１は、ベースケース２、絶縁シート３、点灯回路４及びカバーケースを主な構成要素としている。絶縁シート３は、ベースケース２の内側を覆っており、金属製のベースケース２と点灯回路との電気的接続を遮断している。点灯回路４は、回路基板６に電気部品を実装した構成を有している。カバーケース５は、ベースケース２に覆い被さる蓋の機能を有し、カバーケース５とベースケース２により構成される筐体内には、点灯回路４が収納される。
【００３３】
ベースケース２は、例えば１枚の金属製の平板を折り曲げて、底面部２ａの両側部に一対の側壁部２ｂ、２ｂを備えるように構成されている。金属としては、例えば鋼板材が用いられる。上記底面部２ａは、細長い長方形の形状に形成されている。また、一対の側壁部２ｂ、２ｂは、底面部２ａの長手方向に沿うように両側から上方に折り曲げられ、底面部２ａとほぼ直交し互いに対向してベースケース２の全体が略樋形状に形成されている。そして、上記側壁部２ｂ、２ｂは、長手方向の両側の側縁２ｂｂ、２ｂｂが下側に向かって拡がるように傾斜しており、全体として断面が略台形状に形成されている。
【００３４】
一対の側壁部２ｂ、２ｂは、図２に示されるようにその長手方向の一端側２ｂａ及び図示しない他端側に、係合受部である孔８と、通孔部１０がそれぞれ形成されている。孔８は、円形状に形成され、カバーケース５の係合部である凸部（ベースケース２側へ向かって凸）７と係合する大きさに形成されている。ここに、係合受部は、上記係合部との関係によりベースケース２とカバーケース５を結合することができるものであれば良く、係合受部と係合部のいずれか一方が凹部であり他方が凸部であるような構成を有する。係合部と係合受部の数は適宜選択される。本実施形態では、通孔部１０は、カバーケース５に形成された爪孔部９と同形状であり、上方に先端が向いた第１の爪部１０ａが形成されている。この通孔部１０における第１の爪部１０ａの基部１０ｂが、回路基板６の上面６ａと一致する位置に形成されている。第１の爪部１０ａの周囲は、第１の爪部１０ａを折り曲げ易くするための略Ｕ字状の開口部１６が形成されている。
【００３５】
更に、一対の側壁部２ｂ、２ｂにおいては、その長手方向の一端側２ｂａ及び図示しない他端側に、それぞれ側壁部２ｂ、２ｂの内側に突出する長形の基板支持段部２２が形成されている。合計４個である基板支持段部２２は、予め基板支持段部２２の形状に対応するように形成された絶縁シート３の凹段部を介して回路基板６を支持する。更に、底面部２ａの長手方向の一端側２ａａ及び図示しない他端側には、取付孔１２が穿設されている。
【００３６】
絶縁シート３は、平面状に形成された絶縁性の例えばポリエチレンテレフタレート（ＰＥＴ）などの樹脂により構成され、ベースケース２の内面に沿ってベースケース２に配置され、一部が側壁部２ｂ、２ｂから上方へ突出している。カバーケース５側にも絶縁シート３が内壁に沿うように設けられ（図１１）、ベースケース２に配置された絶縁シート３とそれぞれの端部が重なるように収納される。絶縁シート３の厚さは、例えば0.2〜1.0ｍｍである。
【００３７】
点灯回路４は、電気部品が回路基板６に実装されて構成されている。回路基板６は、例えばガラスエポキシ材や紙フェノール材などにより構成されるものであり、長方形状に形成され、その長手方向の寸法がベースケース２の側壁部２ｂにおける上面２ｂｃの長手方向の寸法によりも幾分小さく、その幅寸法が一対の側壁部２ｂ、２ｂ間の寸法から絶縁シート３の厚さを減じた値より幾分小さくなるように設計されている。
【００３８】
更に、回路基板６には、その上面６ａにおいて、一端側６ｂに入力用の端子台１３が配設されており、図示しない他端側に出力用の端子台が配設されている。入力用の端子台１３には、商用交流電源からの電源線が接続され、出力用の端子台からは、放電ランプが装着されるランプソケットに接続されるリード線が導出される。
【００３９】
電気部品は、回路基板６の入力用の端子台１３と出力用の端子台との間に実装されており、コンデンサＣ１、インダクタＬ１更に図示しないトランジスタなどによって、交流電圧を直流電圧へ変換する直流電源回路、直流電圧を高周波交流電圧へ変換するインバータ回路、更に放電ランプに共振電圧を印加する共振回路などが形成されている。
【００４０】
上記の点灯回路４は、絶縁シート３を介してベースケース２の底面部２ａ側に配置されている。すなわち、回路基板６は、側壁部２ｂ、２ｂに設けられた基板支持段部２２により支持され、回路基板６の長手方向の両端側が底面部２ａの切り起しにより形成された起立片１１により移動が規制されている。基板支持段部２２は、図５に示されるように、回路基板６の上面６ａがベースケース２の通孔部１０における第１の爪部１０ａの基部１０ｂと一致する高さとなるように、底面部２ａからの高さ寸法が設定されている。
【００４１】
カバーケース５は、例えば鋼板材により構成され、一対の側板部５ｃ、５ｃ及びこの一対の側板部５ｃ、５ｃをつなぐ天板部５ａを有する。より詳細には、カバーケース５は、一枚の平板を折り曲げて構成したもので、長方形状の天板部５ａと、この天板部５ａの長手方向に沿う両端に連設すると共に天板部５ａに対して互いに内向きに傾斜する一対の傾斜板部５ｂ、５ｂを備える。この一対の傾斜板部５ｂ、５ｂには、その長手方向に沿うように互いにほぼ平行に対向する一対の側板部５ｃ、５ｃが連設している。更に、天板部５ａにおける長手方向の両端には、天板部５ａに対しほぼ直交するように形成された一対に端板部５ｄ、５ｄが天板部５ａに連設している。この端板部５ｄ、５ｄは、平面形状が略五角形状をなし、カバーケース５における長手方向の両側端の開口部１４の上側を略閉塞している。側板部５ｃ、５ｃは、傾斜板部５ｂ、５ｂを介して天板部５ａの長手方向に沿う両側に連設されている。
【００４２】
更に、カバーケース５は、その長手方向が回路基板６に配設されている入力用の端子台１３と出力用の端子台との間に位置する大きさに形成されている。また、ベースケース２にカバーケース５を被嵌したときに、側板部５ｃ、５ｃの開放端５ｃａ、５ｃａがベースケース２の底面部２ａの位置よりも外方側に突出しないように、側板部５ｃ、５ｃの丈寸法（カバーケース５の高さ寸法）が設定されている。また、端板部５ｄの開放端５ｄａが回路基板６の上面６ａに当接することがないように、端板部５ｄの天板からの深さ（高さ）が設定されている。更に、一対の側板部５ｃ、５ｃの内面がベースケース２の一対の側壁部２ｂ、２ｂの外面に重なり合うことができるように、側板部５ｃ、５ｃの間隔が設定されている。カバーケース５が全体として弾性を有し、一対の側板部５ｃ、５ｃに対し拡開するように変形させると、当初の形状に弾性復帰するような力が付与される。
【００４３】
上記一対の側板部５ｃ、５ｃのそれぞれの一端側５ｃｂ、５ｃｂおよび図示しない他端側には、係合部である凸部（ベースケース２側へ向かって凸）７と爪孔部９が形成されている。凸部７は、図４に示すように、側板部５ｃの外面５ｃｃを例えばプレスすることにより凹ませて形成され、側板部５ｃの内面５ｃｄからカバーケース５の内側に突出している。そして、その突出面７ａは、略球面状（楕円状）に形成されている。凸部７は、通称ダボ構造に形成されている。爪孔部９から凸部７までの距離は、第２の爪部９ｃを折り曲げた際に生じる基部９ａ付近に生じる反り返りの影響の範囲を避ける程度に十分長く設定されている。
【００４４】
カバーケース５をベースケース２に連結するときに、ベース２の一対の側壁部２ｂ、２ｂは、カバーケース５の側板部５ｃ、５ｃに挟まれる。これにより、カバーケース５の側板部５ｃ、５ｃの内面５ｃｄ、５ｃｄとベースケース２の一対の側壁部２ｂ、２ｂの外面が重なり合う。そして、カバーケース５をベースケース２の底面部２ａ側に押圧して移動させると、カバーケース５の凸部７が側壁部２ｂ、２ｂの外面に乗り上がる。
【００４５】
凸部７は、一対の側板部５ｃ、５ｃがベースケース２の一対の側壁部２ｂ、２ｂに重なり合うときに、側壁部２ｂ、２ｂに設けられた孔８に嵌合する。このとき、孔８のほぼ全周の縁部に凸部７の突出面７ａが当接する。これにより、凸部７は孔８に強固に固定され、孔８において移動しなくなる。
【００４６】
爪孔部９は、図３に示すように側板部５ｃの外面５ｃｃを切り込むことにより形成されている。爪孔部９には、側板部５ｃの出幅方向（側板部５ｃの長手方向に直交する方向）を向くように第２の爪部９ｃが形成されている。すなわち、第２の爪部９ｃの基部９ａは側板部５ｃの開放端５ｃａ側に位置し、第２の爪部９ｃの先端部９ｂは傾斜板部５ｂ側に位置している。そして、基部９ａを除く第２の爪部９ｃの周囲は、第２の爪部９ｃを折り曲げ易くするための略Ｕ字状の開口部１５が形成されている。
【００４７】
カバーケース５がベースケース２に被せられるようにして連結された状態では、カバーケース５の爪孔部９はベースケース２の通孔部１０と重なり、第２の爪部９ｃと第１の爪部１０ａとが重なる。ここで、爪孔部９の開口部１５に相当する部位を内面方向に押圧して第２の爪部９ｃと第１の爪部１０ａを折り曲げる治具を用いて、第２の爪部９ｃと第１の爪部１０ａが図５に示すように内側に折り込まれる。
【００４８】
第２の爪部９ｃの内面が第１の爪部１０ａに当接した状態で、基部９ａと基部１０ｂとを軸として内側に折り込まれることにより、先端部９ｂと先端部１０ｃがベースケース２内面側に侵入し、絶縁シート３に当接し絶縁シートを３介して内面１０ｄにより点灯回路４の回路基板６の上面を押圧して角部６ａａを押さえる状態となる。
【００４９】
ここで、第１の爪部１０ａにより押さえられる回路基板６の部位は、電気部品の近くではあるが電気部品を破損することのない範囲である。そして、回路基板６は一対の側壁部２ｂ、２ｂの一端側と他端側の４箇所において第１の爪部１０ａにより押さえられる。これにより、回路基板６は、第１の爪部１０ａと基板支持段部２２の間に保持固定される。
【００５０】
第２の爪部９ｃが基部９ａを軸として折り曲げられるときに、その基部９ａ及びこの近傍が押圧方向と逆の外側へ向かって反り返ることになったとしても、爪孔部９から凸部７までの距離が、上記反り返りの影響の範囲を避ける程度に十分長く設定されており、従来のように床面側に位置するカバーケース５とベースケース２との結合関係がズレ難くなっている。そして、この凸部７と孔８との嵌合が外れてカバーケース５とベースケース２との結合関係にズレが生じても、回路基板６は第１の爪部１０ａと基板支持段部２２の間に保持固定されているために、回路基板６の固定に支障が生じることはない。
【００５１】
更に、仮に、この凸部７と孔８との嵌合が外れて床面側に位置するカバーケース５とベースケース２との結合関係にズレが生じても、カバーケース５の側板部５ｃ、５ｃに形成された爪孔部９に存在する第２の爪部９ｃが、ベースケース２の通孔部１０における開口部１６の平縁部１６ａに当接し、カバーケース５がベースケース２から抜け落ちてしまう危険性を防止している。このように、爪孔部９は、通孔部１０と共働して回路基板固定機能とベースケース２からの脱落防止機能を実現するものである。
【００５２】
図６に、本発明の第２の実施形態である放電ランプ点灯装置１の側面図を示す。この構成例では、爪孔部９に二本の略平行な第１の爪部９ｃ−１、第２の爪部９ｃ−２が形成されている。第１の爪部９ｃ−１は、図の下から上へ向かって延びる一方、第２の爪部９ｃ−２は、図の上から下へ向かって延びている。縦方向に長い第１の爪部９ｃ−１、第２の爪部９ｃ−２を横に二本並べることにより爪孔部９と通孔部１０が高さ方向に大きくなることを防止でき、一対の側板部５ｃ、５ｃと一対の側壁部２ｂ、２ｂの幅が大きくなることなく、ケースの大型化を防止できる構成となっている。
【００５３】
一方の通孔部１０には、爪部が形成されることなく、四角形状の開口部１６−１が形成されている。カバーケース５がベースケース２に被せられるようにして連結された状態では、カバーケース５の爪孔部９はベースケース２の通孔部１０と重なる。つまり、第１の爪部９ｃ−１、第２の爪部９ｃ−２を含む爪孔部９は、開口部１５−１と同じ大きさのエリアに形成され、爪孔部９と通孔部１０が位置合わされて形成されている。
【００５４】
上記以外の部分は、第１の実施形態と同一の構成を備えているので、爪孔部９と通孔部１０とによる作用を説明する。カバーケース５がベースケース２に被せられるようにして連結された状態では、カバーケース５の爪孔部９はベースケース２の通孔部１０と重なる。ここで、爪孔部９の開口部１５に相当する部位を内面方向に押圧して第１の爪部９ｃ−１と第２の爪部９ｃ−２を折り曲げる治具を用いて、第１の爪部９ｃ−１と第２の爪部９ｃ−２を図７に示すように折り曲げる。
【００５５】
第１の爪部９ｃ−１は、基部９ａ−１を軸として折り曲げられて、先端部９ｂ−１がベースケース２内面側に侵入し、絶縁シート３に当接し絶縁シート３を介して内面９ｄにより点灯回路４の回路基板６の上面を押圧して角部６ａａを押さえる状態となる。
【００５６】
ここで、第１の爪部９ｃ−１により押さえられる回路基板６の部位は、電気部品の近くではあるが電気部品を破損することのない範囲である。そして、回路基板６は一対の側壁部２ｂ、２ｂの一端側と他端側と中央部の六箇所において第１の爪部９ｃ−１により押さえられる。これにより、回路基板６は、第１の爪部９ｃ−１と基板支持段部２２の間に保持固定される。
【００５７】
一方、第２の爪部９ｃ−２は、基部９ａ−２を軸として折り曲げられて、先端部９ｂ−２がベースケース２内面側に侵入し、ベースケース２における通孔部１０の開口部１６−１の上平縁部１６−１ａに当接し、カバーケース５とベースケース２とを係合（固定）する。爪孔部９と通孔部１０は全体で四組形成されているため、床面側に位置するカバーケース５がその重さによってベースケース２から抜け落ちることはなく、また凸部７と孔８との嵌合が外れ結合関係にズレが生じることがない。
【００５８】
図８には、本発明の第３の実施形態である放電ランプ点灯装置のカバーケース５の要部側面図を示す。この構成例では、爪孔部９に二本の向かい合う第１の爪部９ｃ−１ａ、第２の爪部９ｃ−２ａが形成されている。第１の爪部９ｃ−１ａが、図の下から上へ向かって延びる一方、第２の爪部９ｃ−２ａは、図の上から下へ向かって延びている。
【００５９】
一方の通孔部１０には第２の実施形態と同じ構成であり、爪部が形成されることなく、四角形状の開口部１６−１が形成されている。カバーケース５がベースケース２に被せられるようにして連結された状態では、カバーケース５の爪孔部９はベースケース２の通孔部１０と重なる。つまり、第１の爪部９ｃ−１ａ、第２の爪部９ｃ−２ａを含む爪孔部９は、ベースケース２の開口部１６−１と同じ大きさのエリアに形成され、爪孔部９と通孔部１０が位置合わせされて形成されている。
【００６０】
上記以外の部分は、第１の実施形態と同一の構成を備えているので、爪孔部９と通孔部１０とによる作用を説明する。カバーケース５がベースケース２に被せられるようにして連結された状態では、カバーケース５の爪孔部９はベースケース２の通孔部１０と重なる。ここで、爪孔部９の開口部１５に相当する部位を内面方向に押圧して第１の爪部９ｃ−１ａと第２の爪部９ｃ−２ａを折り曲げるための治具を用いて、第１の爪部９ｃ−１ａと第２の爪部９ｃ−２ａを折り曲げると断面図は第２の実施形態を示した図７と概ね等しくなる。
【００６１】
第１の爪部９ｃ−１ａは、基部９ａ−１を軸として折り曲げられて、先端部９ｂ−１がベースケース２内面側に侵入し、絶縁シート３に当接し絶縁シート３を介して内面により点灯回路４の回路基板６の上面を押圧して角部６ａａを押さえる状態となる。
【００６２】
ここで、第１の爪部９ｃ−１ａにより押さえられる回路基板６の部位は、電気部品の近くではあるが電気部品を破損することのない範囲である。そして、回路基板６は一対の側壁部２ｂ、２ｂの一端側と他端側の４箇所において第１の爪部９ｃ−１ａにより押さえられる。これにより、回路基板６は、第１の爪部９ｃ−１ａと基板支持段部２２の間に保持固定される。
【００６３】
一方、第２の爪部９ｃ−２ａは、基部９ａ−２を軸として折り曲げられて、先端部９ｂ−２がベースケース２内面側に侵入し、ベースケース２における通孔部１０の開口部１６−１の上平縁部１６−１ａに当接し、カバーケース５とベースケース２とを係合（固定）する。爪孔部９と通孔部１０は全体で六組形成されているため、床面側に位置するカバーケース５がその重さによってベースケース２から抜け落ちることはなく、また凸部７と孔８との嵌合が外れ結合関係にズレが生じることがない。
【００６４】
図９（ａ）には、本発明の第４の実施形態である放電ランプ点灯装置のカバーケース５の要部側面図を示す。この構成例では、爪孔部９には、縦に長い第１の爪部９ｃ−１ｂと、左右方向（横方向）に長い第２の爪部９ｃ−２ｂが形成されている。第１の爪部９ｃ−１ｂは、爪孔部９における左側に位置して図の下から上へ向かって延びる一方、第２の爪部９ｃ−２ｂは、爪孔部９における上側に位置して図の右から左へ向かって延びている。
【００６５】
一方の通孔部１０には第２の実施形態と同じ構成であり、爪部が形成されることなく、四角形状の開口部１６−１が形成されている。カバーケース５がベースケース２に被せられるようにして連結された状態では、カバーケース５の爪孔部９はベースケース２の通孔部１０と重なる。つまり、第２の爪部９ｃ−２ｂ、第１の爪部９ｃ−１ｂを含む爪孔部９は、ベースケース２の開口部１６−１と同じ大きさのエリアに形成され、爪孔部９と通孔部１０が位置合わせされて形成されている。
【００６６】
上記以外の部分は、第１の実施形態と同一の構成を備えているので、爪孔部９と通孔部１０とによる作用を説明する。カバーケース５がベースケース２に被せられるようにして連結された状態では、カバーケース５の爪孔部９はベースケース２の通孔部１０と重なる。ここで、爪孔部９の開口部１５に相当する部位を内面方向に押圧して第１の爪部９ｃ−１ｂと第２の爪部９ｃ−２ｂを折り曲げるための治具を用いて、第１の爪部９ｃ−１ｂと第２の爪部９ｃ−２ｂを折り曲げると断面図は、図１０のようになる。
【００６７】
第１の爪部９ｃ−１ｂは、基部９ａ−１を軸として折り曲げられて、先端部９ｂ−１がベースケース２内面側に侵入し、絶縁シート３に当接し絶縁シート３を介して内面９ｄにより点灯回路４の回路基板６の上面を押圧して角部６ａａを押さえる状態となる。
【００６８】
ここで、第１の爪部９ｃ−１ｂにより押さえられる回路基板６の部位は、電気部品の近くではあるが電気部品を破損することのない範囲である。そして、回路基板６は一対の側壁部２ｂ、２ｂの一端側と他端側の４箇所において第１の爪部９ｃ−１ｂにより押さえられる。これにより、回路基板６は、第１の爪部９ｃ−１ｂと基板支持段部２２の間に保持固定される。
【００６９】
一方、第２の爪部９ｃ−２ｂは、基部９ａ−２を軸として折り曲げられて、先端部９ｂ−２がベースケース２内面側に侵入し、ベースケース２における通孔部１０の開口部１５−１の上平縁部１５−１ａに近接した状態となる。仮に、凸部７と孔８との嵌合が外れて床面側に位置するカバーケース５とベースケース２との結合関係にズレが生じても、カバーケース５の側板部５ｃ、５ｃに形成された爪孔部９に存在する第２の爪部９ｃ−２ｂの上側の側部９ｃ−２ｂｂが、ベースケース２の通孔部１０における開口部１６の平縁部１６ａに当接し、カバーケース５がベースケース２から抜け落ちてしまう危険性を防止している。このように、爪孔部９は、通孔部１０と共働して回路基板固定機能とベースケース２からの脱落防止機能を実現するものである。
【００７０】
図９（ｂ）には、本発明の第５の実施形態である放電ランプ点灯装置のカバーケース５の要部側面図を示す。この構成例では、爪孔部９に二本の略平行な第２の爪部９ｃ−２ｃ、第１の爪部９ｃ−１ｃが形成されている。第１の爪部９ｃ−１ｃは、図の下から上へ向かって延びる一方、第２の爪部９ｃ−２ｃは、図の上から下へ向かって延びている。第１の爪部９ｃ−１ｃ及び第２の爪部９ｃ−２ｃは先端に向かって幅狭となるように、その側縁部がテーパ状に形成され、全体として三角形形状を有している。
【００７１】
一方の通孔部１０には第２の実施形態と同じ構成であり、爪部が形成されることなく、四角形状の開口部１６−１が形成されている。カバーケース５の爪孔部９の開口部の面積はベースケース２の開口部１６−１の面積より小さく、カバーケース５がベースケース２に被せられるようにして連結された状態では、カバーケース５の爪孔部９の中側に破線にて示すようにベースケース２の通孔部１０が位置する。
【００７２】
上記の状態において、爪孔部９の開口部１５に相当する部位を内面方向に押圧して第１の爪部９ｃ−１ｃと第２の爪部９ｃ−２ｃを折り曲げる治具を用いて、第１の爪部９ｃ−１ｃと第２の爪部９ｃ−２ｃを折り曲げる。これにより、第１の爪部９ｃ−１ｃ及び第２の爪部９ｃ−２ｃおけるそれぞれの先端部分から通孔部１０の開口部１６−１に入り込むようにして折り曲げられ、そのテーパ状の側縁部がガイドとなって爪孔部９と通孔部１０が位置合わせを行うことができる。第１の爪部９ｃ−１ｃと第２の爪部９ｃ−２ｃを折り曲げた状態は、図７のようであり、第１の爪部９ｃ−１ｃは図７における第１の爪部９ｃ−１として機能し、第２の爪部９ｃ−２ｃは図７における第２の爪部９ｃ−２として機能する。このように爪部の側縁部がテーパ状にされる構成は、図９（ａ）に示した横方向に延在する爪部についても採用することができる。
【００７３】
図１１は、第６の実施形態に係る放電ランプ点灯装置１の構成を示す斜視図である。この実施形態において、ベースケース２の両側面である側壁部２ｂ、２ｂには、ベースケース２の中心を軸として１８０度の平面回転対称となる位置に各部材が形成されている。これら各部材として、基板支持段部２２Ａ、開口部１６−２、回路基板固定部４１、一対のネジ取付穴４２が形成されている。即ち、これらの基板支持段部２２Ａ、開口部１６−２、回路基板固定部４１、一対のネジ取付穴４２は、図１１、図１２に示されている位置及び形状において側壁部２ｂに形成されており、図１１、図１２において隠れている側の側壁部２ｂにも全く同様の位置及び形状において同一部材が形成されている。従って、ベースケース２を図１１、図１２に示されている状態から１８０度の平面回転を行った場合にも、基板支持段部２２Ａ、開口部１６−２、回路基板固定部４１、一対のネジ取付穴４２が図１１、図１２に示されている状態にて現れる。
【００７４】
図１３は、ベースケース２の底面部２ａを示す図である。ベースケース２の底面部２ａには、照明器具本体に取り付けを行うためのネジを透通させる取付孔１２と、起立片１１を形成するための穴４４と、端子台１３及び出力側の端子台１３Ｔから延びるリードを通過させる穴４５が形成されている。ベースケース２の底面部２ａは左右対称であり、１８０度の平面回転を行った場合にも同じ状態が現れる。
【００７５】
更に、図１１、図１２に示されているように、カバーケース５の両側面である側板部５ｃ、５ｃには、カバーケース５の中心を軸として１８０度の平面回転対称となる位置に各部材が形成されている。ここでは、部材としての爪孔部９とネジ取り付け用の窓部４３が形成されている。このカバーケース５を図１１、図１２に示されている状態から１８０度の平面回転を行った場合にも、図１１、図１２に示されている状態と全く同様の位置及び形状において爪孔部９とネジ取り付け用の窓部４３が現れる。以上の構成によって、ベースケース２とカバーケース５の方向を調整することなく、組立て作業を行うことができ、作業効率を向上させることができる。
【００７６】
上記ベースケース２の基板支持段部２２Ａは、図１２に示すように、四角形状の領域において上下に位置する長方形状の開口部２２Ｂ、２２Ｂを打ち抜き、中央部に帯状であってベースケース２の内部方向にアーチ状に突出したブリッジ２２Ｃを設けたものである。ブリッジ２２Ｃの上縁部に回路基板６の縁部が載置される。基板支持段部２２Ａは、ベースケース２の側壁部２ｂの長手方向の両端部付近と中央部に、等間隔で３個形成されている。
【００７７】
絶縁シート３は、ベースケース２の底面部２ａから側壁部２ｂへ到る部分において、図１４と図１５に示されるように構成されている。即ち、ベースケース２の底面部２ａに沿う形状の底部３１を有する。底部３１の両側には、ベースケース２における一対の側壁部２ｂ、２ｂに内面に沿った縦壁部３２、３２を有する。縦壁部３２、３２は、ベースケース２における角部２ｃの位置で縦壁部３２、３２が生じるように折り曲げられ、基端部には鋭角部３５が形成される。
【００７８】
更に、ブリッジ２２Ｃの上縁部に一致する高さの鍔部３３が生じる位置で外側に向かって折り曲げられる。鍔部３３から鋭角部３５までの傾斜部３４がブリッジ２２Ｃの下縁部に僅かに接触する程度の傾斜を有するように、外側から内側へ折り曲げられて直角部３６が形成される。傾斜部３４がブリッジ２２Ｃの下縁部に僅かに接触するため、これを逃れるように、ブリッジ２２Ｃの下縁部と上部の中央部に円弧形状の切削部２２Ｄが形成されている（図１５）。
【００７９】
上記のような絶縁シート３をベースケース２に収納した後に、回路基板６を収納してブリッジ２２Ｃに載置する場合には、絶縁シート３の弾性力のために図１６に示すように回路基板６がブリッジ２２Ｃに載置された鍔部３３の僅かに上方の中途位置において浮いた状態となることがある。この回路基板６の設置作業は、人手による作業ではなく、自動機械による組立て作業によっているため、この状態で不具合が放置されることが少なくない。
【００８０】
そこで、本実施形態では図１７（ａ）に示すように、ベースケース２の側壁部２ｂ、２ｂに回路基板固定部４１を形成してある。回路基板固定部４１は、ブリッジ２２Ｃの高さ寸法にほぼ一致させて、四角形状の領域において下方から上方へ延びる長方形状の舌片部４１Ａを残して凹字状に打ち抜きを行ったものである。図１６に示すようにブリッジ２２Ｃに載置された鍔部３３の僅かに上方の中途位置において回路基板６が浮いた状態にある場合でも、上記舌片部４１Ａをベースケース２の内側へ所定治具で押圧して折り曲げることにより、図１７（ｂ）に示すように絶縁シート３を介して回路基板６をベースケース２の底面部側へ押えて固定することができる。このため、カバーケース５を被せる前に的確に回路基板６を仮固定することができる。
【００８１】
前述したカバーケース５に形成されている窓部４３は図１１に示すように、回路基板６に設けられているパワートランジスタＴＲが載置されて固定されている放熱板４６をベースケース２へ固定するネジのスペースとして設けられている。
【００８２】
また図１４に示されるように、絶縁シート３においても、上記放熱板４６の位置に合わせて、放熱板４６の縦壁部よりやや大きい形状の開口部３７が形成されている。開口部３７の形成において、開口部３７の底辺３７Ａは、鋭角部３５が存在する長手方向ライン３５Ｌより上部側であって、鍔部３３を挟む折線ライン３３Ｌａ、Ｌｂを避ける位置に形成する。なぜならば、開口部３７の底辺３７Ａが、長手方向ライン３５Ｌや折線ライン３３Ｌａ、Ｌｂに一致する場合には、開口部３７の底辺３７Ａから上記長手方向ライン３５Ｌや折線ライン３３Ｌａ、Ｌｂ方向へ向かって裂けが生じやすく、絶縁シート３の歩留まりを低下させるためである。
【００８３】
このように構成された絶縁シート３の内側に回路基板６が収納されて、ベースケース２における側壁部２ｂに形成された舌片部４１Ａをベースケース２の内側へ所定治具で押圧して折り曲げる。また、ベースケース２における側壁部２ｂに形成された一対のネジ取付穴４２には、ネジ４２Ｎが挿入され、放熱板４６の縦壁部に形成されたネジ穴に螺合されて回路基板６の仮固定がなされる（図１７（ａ）、（ｂ））。
【００８４】
また、図１７に示すようにベースケース２の側壁部２ｂに形成された開口部１６−２は、主四角形状部１６Ｍに連通して長手方向の中央部に向かって突出する横長の小長方形部１６Ｓが形成されている。この開口部１６−２に対応するカバーケース５の爪孔部９は、図９（ａ）に示したものであり、第１の爪部９ｃ−１ｂと第２の爪部９ｃ−２ｂとを備える。
【００８５】
図１７（ｂ）を用いて説明した如くに回路基板６の仮固定がされたベースケース２に対して、カバーケース５と上側の絶縁シート３（図１１の３Ｕ）とを上方から被せて、カバーケース５の爪孔部９をベースケース２の開口部１６−２に位置合わせする。ここで、爪孔部９の開口部１５に相当する部位を内面方向に押圧して第１の爪部９ｃ−１ｂと第２の爪部９ｃ−２ｂを折り曲げるための治具を用いて、第１の爪部９ｃ−１ｂと第２の爪部９ｃ−２ｂを折り曲げる。これにより、放電ランプ点灯装置１を完成させることができる。この第６の実施形態においては、係合受部と係合部を用いることなく、開口部１６−２と爪孔部９によってベースケース２とカバーケース５とを結合している。この係合受部と係合部を用いない構成は、第１乃至第５の各実施形態においても採用することが可能である。
【００８６】
上記のような放電ランプ点灯装置には、カバーケース５の端板部５ｄの外側であってベースケース２における側壁部２ｂの内壁に沿うように、絶縁シート３の他の部位より丈が低くされた端部３ａが配置されている（図１５）。放電ランプ点灯装置１の組立てを行う場合において、絶縁シート３の端部３ａが自重や温度などによりベースケース２の内側へ撓んだ状態にあると、第１乃至第５の各実施形態におけるカバーケース５であると、図１８に示されるようにカバーケース５における端板部５ｄの下端部５ｄｄが絶縁シート３を巻き込んでしまうという問題があった。
【００８７】
この問題を解決するために本実施形態においては図１１や図１９に示すように、カバーケース５の端板部５ｄに、カバーケース５の側板部５ｃとの間隔Ｄが下方から天板部５ａへ向かって狭くなるテ―パ部５ｄｔを形成した。これによって、絶縁シート３の端部３ａがベースケース２の内側へ撓んだ状態であっても、図１５の状態からカバーケース５をベースケース２に被せるときには、図１９に示すようにカバーケース５における端板部５ｄの下端部５ｄｄが絶縁シート３を巻き込むことなく、絶縁シート３の端部３ａはカバーケース５の側板部５ｃとテーパ部５ｄｔの間に入り、適切な状態でカバーケース５をベースケース２に被せて放電ランプ点灯装置１を組み立てて完成することができる。
【００８８】
放電ランプ点灯装置１の組み立てが完了した後には、カバーケース５の天板部５ａと傾斜板部５ｂにレーザマーキングにより所要の情報をマーキングする。この場合、レーザの照射部が平面を移動するか、放電ランプ点灯装置を平面において移動させるかによりレーザ照射を行うため、カバーケース５の天板部５ａと傾斜板部５ｂとを同様にレーザ照射すると、カバーケース５の傾斜板部５ｂにおいては文字が潰れるなどする。
【００８９】
そこで、三次元ＣＡＤを用いて傾斜板部５ｂにマーキングする文字や記号などの形状（マーキングパターン）を変更し、また、大きさや太さを変えることで、傾斜板部５ｂに所望の文字記号をマーキングしている。しかし傾斜板部５ｂにマーキングされた文字記号は傾斜方向に粗く滲んで見えるので、具体的には図２０に示すように、比較的マーキングが鮮明となるカバーケース５の天板部５ａに電気用品安全法などの法規やＪＩＳなどの規格類により表示が義務化されている文字や識別記号などをマーキングして、視認・判読することができるようにしている。
【００９０】
一方、傾斜板部５ｂには、メーカの名称や必要な事項などをマーキングする。この場合、文字潰れを考慮して横線方向のパターンを細くしたり、太いフォントは読み易い以外に用いなくするなどの制限を加え、判読し易い文字や記号のみをマーキングする。また、重要な情報は、傾斜板部５ｂにマーキングしないようにしている。
【００９１】
また、マーキングの開始位置を、カバーケース５の天板部５ａとする。更に、天板部５ａと傾斜板部５ｂの境界部は少なくとも１ｍｍ幅にわたって非マーキング領域とする。
【００９２】
以上のようにして、レーザマーキングを行っているため、重要な情報が読めないなどの不具合をなくし、また、傾斜板部５ｂにおいて文字潰れし難く、また文字潰れがあっても判読し易い文字や記号のみであり、容易に読むことができる。
【００９３】
図２１は、一枚のシートにより構成した絶縁シート３を用いた第７の実施形態に係る放電ランプ点灯装置１を示す図である。この絶縁シート３は、ベースケース２における一方の側壁部２ｂから突出した側が長く、先端部３ｓが僅かに内側へ折り曲げられている。カバーケース５を被せたときに、絶縁シート３の先端部６ｓは、カバーケース５の内面に沿って撓みながら回路基板６に実装された点灯回路４を内包するようにして、ベースケース２における他方の側壁部２ｂから突出している絶縁シート３と重なる。これによって、点灯回路４とカバーケース５及びベースケース２の絶縁が図られる。第７の実施形態に係る放電ランプ点灯装置の他の構成は、第６の実施形態に係る放電ランプ点灯装置の構成と変わらない。一枚のシートにより構成した絶縁シート３は、第１乃至第６の各実施形態においても採用することが可能である。
【００９４】
図２２に、本発明に係る照明器具の実施形態を示す。照明器具３０は、天井面などに直付けされる照明器具であり、略枠状の器具本体１７の両端に一対のランプソケット１８、１８が設けられている。このランプソケット１８、１８には、放電ランプである直管形蛍光ランプ１９が装着されている。また、器具本体１７は、蛍光ランプ１９に対向して断面略皿状の反射板２０を取り付けており、この反射板２０の表面は反射面２０ａとなっている。
【００９５】
また、器具本体１７は、反射板２０の内側において、各実施形態に係る放電ランプ点灯装置１をベースケース２の底面部２ａに設けた取付孔１２に通しねじにより固定している。そして、放電ランプ点灯装置１が給電されることにより、蛍光ランプ１９が点灯する。
【００９６】
照明器具３０は、放電ランプ点灯装置１の小型化により、容易に配設スペースを確保することができ、放電ランプ点灯装置１の低コスト化により、安価に形成することができる。
【符号の説明】
【００９７】
１  放電ランプ点灯装置
２  ベースケース
３  絶縁シート
４  点灯回路
５  カバーケース
５ｄ  端板部
５ｄｔ  テ―パ部
７  凸部
８  孔
９  爪孔部
１０  通孔部
１７  器具本体
１９  直管形蛍光ランプ
２２Ａ  基板支持段部
３０  照明器具
４１  回路基板固定部
【図１】
2010080433.tif 000003
【図２】
2010080433.tif 000004
【図３】
2010080433.tif 000005
【図４】
2010080433.tif 000006
【図５】
2010080433.tif 000007
【図６】
2010080433.tif 000008
【図７】
2010080433.tif 000009
【図８】
2010080433.tif 000010
【図９】
2010080433.tif 000011
【図１０】
2010080433.tif 000012
【図１１】
2010080433.tif 000013
【図１２】
2010080433.tif 000014
【図１３】
2010080433.tif 000015
【図１４】
2010080433.tif 000016
【図１５】
2010080433.tif 000017
【図１６】
2010080433.tif 000018
【図１７】
2010080433.tif 000019
【図１８】
2010080433.tif 000020
【図１９】
2010080433.tif 000021
【図２０】
2010080433.tif 000022
【図２１】
2010080433.tif 000023
【図２２】
2010080433.tif 000024
【図２３】
2010080433.tif 000025